(57)【要約】      （修正有）【課題】光源として色温度が異なる第１光源および第２光源を備えた照明装置であれば、照明装置のデザインや大きさに関わらず、調光／調色機能を持たせることを可能にするフットスイッチ装置を提供する。【解決手段】フットスイッチ装置１００は、フットスイッチ本体１０およびリモコン２０を有している。フットスイッチ本体１０は、ケーシング３０に対して押動操作可能に設けられた操作部４０と、光源１４０の点灯／消灯および調光／調色を行うとともに、ケーシング３０の内部に収容される点灯制御部と、を有し、点灯制御部は、第１光源１４１を駆動させる第１点灯回路と、第２光源１４２を駆動させる第２点灯回路と、操作部４０に対する操作により、第１点灯回路および第２点灯回路に電力を供給する電気回路を開閉するスイッチと、を有する。【選択図】図１
0003230405.tif 000002
【実用新案登録請求の範囲】
【請求項１】
光源として色温度が異なる第１光源および第２光源を備えた照明装置に用いられる、フットスイッチ装置であって、
フットスイッチ本体を備え、
前記フットスイッチ本体は、
ケーシングと、
前記ケーシングに対して押動操作可能に設けられた操作部と、
前記光源の点灯／消灯および調光／調色を行うとともに、前記ケーシングの内部に収容される点灯制御部と、を有し、
前記点灯制御部は、
前記第１光源を駆動させる第１点灯回路と、
前記第２光源を駆動させる第２点灯回路と、
前記第１点灯回路および前記第２点灯回路を制御する制御部と、
前記操作部に対する操作により、前記第１点灯回路および前記第２点灯回路に電力を供給する電気回路を開閉するスイッチと、
を有するフットスイッチ装置。
【請求項２】
調光／調色に対応した信号を送信する送信装置をさらに備え、
前記点灯制御部は、
前記送信装置から送信された信号を受信するとともに、受信した前記信号を前記制御部に入力する受信部をさらに有する、
請求項１に記載のフットスイッチ装置。
【請求項３】
平面視で、前記操作部は前記フットスイッチ本体の中心部に配置されており、
前記点灯制御部は、
前記操作部の下方に前記スイッチが配置されているとともに、前記スイッチの側方に前記第１点灯回路、前記第２点灯回路、および前記制御部が配置されている、
請求項１または請求項２に記載のフットスイッチ装置。
【請求項４】
前記フットスイッチ本体は、
直流が入力される１回路の入力コードと、
前記第１光源および前記第２光源にそれぞれ直流を供給する２回路の出力コードと、
を有する、
請求項１から請求項３のいずれか１項に記載のフットスイッチ装置。
【考案の詳細な説明】
【技術分野】
【０００１】
本考案は、照明装置のデザインや大きさに関わらず、調光／調色機能を持たせることを可能とするフットスイッチ装置に関する。
【背景技術】
【０００２】
従来、照明装置の点灯／消灯を切り換えるフットスイッチが知られている。図５は、照明装置４００に用いられる従来のフットスイッチ３００を示す図である。図５に示すように、フットスイッチ３００は、フットスイッチ本体３１０および操作部３２０を備えている。照明装置４００の点灯／消灯の切り換えは、使用者が操作部３２０を足先等で押動操作することにより行われる。
【０００３】
上記従来のフットスイッチ３００は、照明装置４００の点灯／消灯を切り換える機能のみを有しているが、照明装置に点灯／消灯機能だけでなく、調光／調色機能を付加する場合、照明装置には、色温度が異なる複数の光源を設ける必要がある。また、複数の光源の点灯制御を行う点灯制御部も設ける必要がある。
【先行技術文献】
【特許文献】
【０００４】
【特許文献１】実用新案登録第３１５６２９０号公報
【考案の概要】
【考案が解決しようとする課題】
【０００５】
しかしながら、照明装置は様々なデザインや大きさを有している。このため、照明装置のデザインや大きさによっては、点灯制御部を収容するスペースを確保することができず、照明装置に調光／調色機能を付加することができない場合があった。
【０００６】
特許文献１には、リモートコントロール機能を有さない照明装置に対して、赤外線で遠隔操作を可能とする、照明用リモートコントロール送受信機装置が開示されている。この照明用リモートコントロール送受信機装置は、照明装置にリモートコントロール機能を付加するためのものである。
【０００７】
つまり、上記従来の照明用リモートコントロール送受信機装置は、照明装置に加えて別途設置するものである。このため、照明用リモートコントロール送受信機装置を設置するには、照明装置とは別に照明用リモートコントロール送受信機装置を設置するためのスペースを別途確保する必要があった。
【０００８】
本考案の目的は、光源として色温度が異なる第１光源および第２光源を備えた照明装置であれば、照明装置のデザインや大きさに関わらず、調光／調色機能を持たせることを可能にするとともに、調光／調色機能を持たせるために別途機器を設置するスペースを必要としないフットスイッチ装置を提供することである。
【課題を解決するための手段】
【０００９】
本考案のフットスイッチ装置は、
光源として色温度が異なる第１光源および第２光源を備えた照明装置に用いられる、フットスイッチ装置であって、
フットスイッチ本体を備え、
前記フットスイッチ本体は、
ケーシングと、
前記ケーシングに対して押動操作可能に設けられた操作部と、
前記光源の点灯／消灯および調光／調色を行うとともに、前記ケーシングの内部に収容される点灯制御部と、を有し、
前記点灯制御部は、
前記第１光源を駆動させる第１点灯回路と、
前記第２光源を駆動させる第２点灯回路と、
前記第１点灯回路および前記第２点灯回路を制御する制御部と、
前記操作部に対する操作により、前記第１点灯回路および前記第２点灯回路に電力を供給する電気回路を開閉するスイッチと、
を有する。
【考案の効果】
【００１０】
本考案のフットスイッチ装置によれば、光源として色温度が異なる第１光源および第２光源を備えた照明装置であれば、照明装置のデザインや大きさに関わらず、調光／調色機能を持たせることが可能となる。
また、点灯制御部は、フットスイッチ本体の内部に収容されるため、調光／調色機能を持たせるために別途機器を設置するスペースを必要とすることもない。
【図面の簡単な説明】
【００１１】
【図１】図１は、本考案の実施形態にかかるフットスイッチ装置を照明装置に接続した状態を示す図である。
【図２】図２は、フットスイッチ本体を分解した状態を示す正面断面図である。
【図３】図３は、フットスイッチ本体の正面断面図である。
【図４】図４は、フットスイッチ装置を照明装置に接続した状態を示すブロック図である。
【図５】図５は、照明装置に用いられる従来のフットスイッチを示す図である。
【考案を実施するための形態】
【００１２】
本考案の一実施形態にかかるフットスイッチ装置は、光源として色温度が異なる第１光源および第２光源を備えた照明装置に用いられる、フットスイッチ装置であって、
フットスイッチ本体を備え、
前記フットスイッチ本体は、
ケーシングと、
前記ケーシングに対して押動操作可能に設けられた操作部と、
前記光源の点灯／消灯および調光／調色を行うとともに、前記ケーシングの内部に収容される点灯制御部と、を有し、
前記点灯制御部は、
前記第１光源を駆動させる第１点灯回路と、
前記第２光源を駆動させる第２点灯回路と、
前記第１点灯回路および前記第２点灯回路を制御する制御部と、
前記操作部に対する操作により、前記第１点灯回路および前記第２点灯回路に電力を供給する電気回路を開閉するスイッチと、
を有する（第１の構成）。
【００１３】
上記構成によれば、フットスイッチ装置は、光源の点灯／消灯および調光／調色を行うとともに、フットスイッチ本体の内部に収容される点灯制御部を備えている。
【００１４】
このため、光源として色温度が異なる第１光源および第２光源を備えた照明装置であれば、照明装置のデザインや大きさに関わらず、調光／調色機能を持たせることが可能となる。
【００１５】
また、フットスイッチ装置は、照明装置の点灯／消灯の切り換えに必要なものであり、調光／調色機能を持たせるために別途設けられる機器ではない。このため、調光／調色機能を持たせるために別途機器を設置するスペースを必要とすることもない。
上記第１の構成において、
調光／調色に対応した信号を送信する送信装置をさらに備え、
前記点灯制御部は、
前記送信装置から送信された信号を受信するとともに、受信した前記信号を前記制御部に入力する受信部をさらに有してもよい（第２の構成）。
【００１６】
上記構成によれば、送信装置と、送信装置から送信された信号を受信するとともに、受信した信号を制御部に入力する受信部をさらに有している。このため、照明装置の調光／調色を遠隔操作することができる。
上記第１または第２の構成において、
平面視で、前記操作部は前記フットスイッチ本体の中心部に配置されており、
前記点灯制御部は、
【００１７】
前記操作部の下方に前記スイッチが配置されているとともに、前記スイッチの側方に前記第１点灯回路、前記第２点灯回路、および前記制御部が配置されていてもよい（第３の構成）。
【００１８】
上記構成によれば、点灯制御部は、フットスイッチ本体の内部において、中心部にスイッチが配置され、スイッチの側方に第１点灯回路、第２点灯回路、および制御部が配置されている。このため、点灯／消灯機能を有するフットスイッチ装置の構成を大きく変更せずに、調光／調色機能を付加させることができる。
上記第１から第３のいずれかの構成において、
前記フットスイッチ本体は、
直流が入力される１回路の入力コードと、
前記第１光源および前記第２光源にそれぞれ直流を供給する２回路の出力コードと、
を有してもよい（第４の構成）。
上記構成によれば、
【００１９】
第１光源および第２光源にそれぞれ直流を供給する２回路の出力コードを有している。このため、照明装置への接続が容易となる。また、照明装置は直流が入力される直流機器となるため、ＰＳＥ自主検査を行う必要がなく、安全性も向上する。
【００２０】
［実施形態］
以下、図面を参照し、本考案の実施形態に係るフットスイッチ装置１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２１】
［全体構成］
図１は、本考案の実施形態にかかるフットスイッチ装置１００を照明装置２００に接続した状態を示す図である。以下の図では、矢印Ｕはフットスイッチ装置１００の上方向を示し、矢印Ｄは下方向を示す。
【００２２】
図１に示すように、照明装置２００は、ベース１１０、支柱１２０、点灯部１３０を有している。支柱１２０の下部は、ベース１１０に支持されている。支柱１２０の上部には、点灯部１３０が設けられている。点灯部１３０には、光源１４０が設けられている。図１に示す照明装置２００は、照明装置のデザインの一例であるが、照明装置２００は、上下方向に細長く延び、点灯部１３０が小さいデザインを有している。
【００２３】
点灯部１３０には、光源１４０として第１光源１４１および第２光源１４２が設けられている。第１光源１４１および第２光源１４２は、それぞれ複数のＬＥＤ（Ｌｉｇｈｔ  Ｅｍｉｔｔｉｎｇ  Ｄｉｏｄｅ）モジュールである。第１光源１４１および第２光源１４２として、それぞれ色温度が異なるＬＥＤモジュールが用いられている。例えば、第１光源１４１として色温度がおよそ３０００Ｋである電球色のＬＥＤモジュールが用いられ、第２光源１４２として色温度がおよそ５０００Ｋである昼白色のＬＥＤモジュールが用いられている。色温度の異なる第１光源１４１および第２光源１４２のそれぞれの調光率を変化させることにより、光源１４０の色温度と明暗を変化させる調光／調色を行うことが可能となる。
【００２４】
フットスイッチ装置１００は、フットスイッチ本体１０およびリモコン２０を有している。リモコン２０は、本考案の送信装置に相当する。
【００２５】
フットスイッチ本体１０は、使用者の足先等での押動操作により、照明装置２００の点灯／消灯の切り換えを行うものである。また、本考案のフットスイッチ本体１０は、リモコン２０から送信される信号に基づいて、照明装置２００の光源１４０に対して調光／調色制御を行うものである。フットスイッチ本体１０は、ケーシング３０、操作部４０、および点灯制御部６０（図２、図４参照）、を有している。
【００２６】
ケーシング３０は、ケーシング基体３１およびケーシング蓋体３２を有している。ケーシング基体３１は、フットスイッチ本体１０を床面等に配置できるように底面が平坦な形状を有している。ケーシング蓋体３２は、上方に突出する凸面状に形成されている。ケーシング蓋体３２の中央部には、操作部４０が設けられる開口部３３（図２参照）が形成されている。
【００２７】
操作部４０は、ケーシング３０に対して押動操作可能に設けられている。使用者が足先等で操作部４０を押動操作することにより、照明装置２００の点灯／消灯が切り換えられる。
【００２８】
点灯制御部６０（図２、図４参照）は、操作部４０の押動操作に基づいて、光源１４０の点灯／消灯を行うとともに、リモコン２０から送信される信号に基づいて光源１４０の調光／調色を行うものである。点灯制御部６０は、ケーシング３０の内部に収容されている。点灯制御部６０の構成については後に詳細に説明する。
【００２９】
フットスイッチ本体１０には、入力コード５１および出力コード５２が接続されている。入力コード５１には、電源コード５４およびコネクタ５５を介して変換器５３が接続されている。変換器５３は、交流の商用電源に接続されて、交流を直流に変換する。入力コード５１は、１回路のコードであり、商用電源から変換された直流を点灯制御部６０に入力する。出力コード５２は、２回路のコードであり、点灯制御部６０から照明装置２００に対して第１光源１４１および第２光源１４２を駆動させるための直流を供給する。
【００３０】
リモコン２０は、点灯制御部６０に対して、調光／調色に対応した信号を送信する。リモコン２０には、使用者が調光／調色を指示するための操作ボタン２１が設けられている。使用者が操作ボタン２１を操作することにより、送信部（図示せず）から調光／調色に対応した赤外線信号が送信される。赤外線信号を受信した点灯制御部６０は、受信した信号に基づいて光源１４０の調光／調色を行う。なお、リモコン２０は、タイマー機能によって、調光／調色に対応した赤外線信号を送信部から自動送信するようにしてもよい。
【００３１】
図２は、フットスイッチ本体１０を分解した状態を示す正面断面図である。図２に示すように、ケーシング基体３１およびケーシング蓋体３２が組み合わされることにより、ケーシング３０の内部に空間が構成される。ケーシング３０の内部空間には、点灯制御部６０が配置される。
【００３２】
点灯制御部６０は、基板６１、スイッチ７０、第１点灯回路８１、第２点灯回路８２、制御部９０、および受信部９５を備えている。基板６１には、第１点灯回路８１、第２点灯回路８２、制御部９０、および受信部９５が実装されている。スイッチ７０は、照明装置２００の点灯／消灯の切り換えを行うものであり、基板６１とは別に配置されている。
【００３３】
ケーシング基体３１には、基板保持部３１１およびスイッチ保持部３１２が設けられている。基板保持部３１１は、点灯制御部６０の基板６１が保持される。スイッチ保持部３１２には、スイッチ７０が保持される。基板６１には、スイッチ保持部３１２およびスイッチ７０と干渉しないように開口部６１１が形成されている。
【００３４】
ケーシング蓋体３２には、中央部に開口部３３が形成されている。開口部３３には、操作部４０が上下方向に移動可能に設けられる。操作部４０の下部には、スイッチ７０が配置される。操作部４０は、スイッチ７０に取り付けられる弾性体４１により、上方に付勢された状態で開口部３３に設けられる。
【００３５】
図３は、フットスイッチ本体１０の正面断面図である。図３に示すように、操作部４０は、平面視においてフットスイッチ本体１０の中心部に配置されている。また、操作部４０の下方にスイッチ７０が配置されているとともに、スイッチ７０の側方に第１点灯回路８１、第２点灯回路８２、制御部９０、および受信部９５が配置されている。このため、操作部４０およびスイッチ７０をフットスイッチ本体１０の中心部に配置した上で、第１点灯回路８１、第２点灯回路８２、制御部９０、および受信部９５を、操作部４０およびスイッチ７０に干渉しないように配置することができる。
【００３６】
操作部４０は、ケーシング蓋体３２の開口部３３から上方に突出しており、ケーシング蓋体３２に対して上下方向に移動可能に設けられている。操作部４０に対して押し込み操作を行うことにより、スイッチ７０が操作される。
【００３７】
スイッチ７０はいわゆるオルタネートスイッチであり、操作部４０に対して押し込み操作を行う度に、スイッチ７０のＯＮ／ＯＦＦ（接続／切断）が切り替えられ、照明装置２００の点灯／消灯の切り換えが行われる。操作部４０は、弾性体４１によって上方に付勢されているため、操作部４０に対する押し込み操作の後は、ケーシング蓋体３２の開口部３３から上方に突出した元の位置に復帰する。
【００３８】
リモコン２０からは、点灯制御部６０に対して、調光／調色に対応した赤外線信号が送信される。赤外線信号を受信した点灯制御部６０は、受信した信号に基づいて光源１４０の調光／調色を行う。
【００３９】
図４は、フットスイッチ装置１００を照明装置２００に接続した状態を示すブロック図である。図４に示すように、照明装置２００は、それぞれ色温度の異なる第１光源１４１および第２光源１４２を有している。フットスイッチ装置１００の点灯制御部６０は、出力コード５２（図１参照）を介して照明装置２００の第１光源１４１および第２光源１４２に接続されている。また、点灯制御部６０には、交流の商用電源から変換器５３によって変換された直流が入力コード５１（図１参照）を介して供給される。
【００４０】
スイッチ７０は、操作部４０に対して押し込み操作を行う度に、スイッチ７０のＯＮ／ＯＦＦ（接続／切断）が切り替えられ、第１点灯回路８１および第２点灯回路８２に電力を供給する電気回路を開閉する。
【００４１】
受信部９５は、リモコン２０から送信された調光／調色に対応した赤外線信号を受信する。受信した信号は、制御部９０に入力される。
【００４２】
制御部９０は、受信部９５から入力された信号を受け付けて、第１点灯回路８１および第２点灯回路８２を制御する制御信号を生成する。本実施形態では、制御部９０は、ＬＥＤモジュールを点灯するオン期間と消灯するオフ期間とを繰り返す、ＰＷＭ（Ｐｕｌｓｅ  Ｗｉｄｔｈ  Ｍｏｄｕｌａｔｉｏｎ）制御を行うものとする。
【００４３】
第１点灯回路８１および第２点灯回路８２は、それぞれ色温度の異なる第１光源１４１および第２光源１４２を駆動させる回路である。第１点灯回路８１および第２点灯回路８２は、制御部９０で生成された制御信号に基づいて、第１光源１４１および第２光源１４２を駆動させる。
【００４４】
ここで、フットスイッチ装置１００を操作することによる、照明装置２００の点灯／消灯の切り換えと、調光／調色について説明する。
【００４５】
まず、照明装置２００の点灯／消灯の切り換えは、フットスイッチ本体１０に設けられた操作部４０に対する押動操作によって行われる（図３参照）。具体的には、使用者が足先等で操作部４０に対して押し込み操作を行う度に、照明装置２００の点灯／消灯の切り換えが行われる。なお、照明装置２００の点灯／消灯の切り換えは、照明装置２００の調光／調色の状態に関わらず実行することができる。
【００４６】
次に、照明装置２００の調光／調色は、リモコン２０から送信される信号に基づいて行われる（図３参照）。具体的には、使用者がリモコン２０の操作ボタン２１を操作すると、リモコン２０から調光／調色に対応した赤外線信号が送信される。フットスイッチ本体１０に設けられた点灯制御部６０は、リモコン２０からの赤外線信号を受信し、受信した信号に基づいて光源１４０の調光／調色を行う。例えば、光源１４０を暖色系に調色する場合は、色温度が低い第１光源１４１の調光率を増加させ、色温度が高い第２光源１４２の調光率を減少させる。反対に光源１４０を寒色系に調色する場合は、色温度が低い第１光源１４１の調光率を減少させ、色温度が高い第２光源１４２の調光率を増加させる。光源１４０の色を変えずに調光する場合は、第１光源１４１と第２光源１４２の調光率の比を保持した状態で、それぞれの調光率を増減させる。なお、照明装置２００の調光／調色は、照明装置２００の点灯状態において実行することができる。
【００４７】
［実施形態の効果］
以上説明した本実施形態に係るフットスイッチ装置１００によれば、以下の効果を有する。
フットスイッチ装置１００は、光源１４０の点灯／消灯および調光／調色を行うとともに、フットスイッチ本体１０の内部に収容される点灯制御部６０を備えている。
【００４８】
このため、本実施形態の照明装置２００のように光源１４０として色温度が異なる第１光源１４１および第２光源１４２を備えていれば、照明装置２００のように上下方向に細長く延び、点灯部１３０が小さいデザインであっても、調光／調色機能を持たせることが可能となる。
【００４９】
また、フットスイッチ装置１００は、照明装置２００の点灯／消灯の切り換えに必要なものであり、調光／調色機能を持たせるために別途設けられる機器ではない。このため、調光／調色機能を持たせるために別途機器を設置するスペースを必要とすることもない。
【００５０】
フットスイッチ装置１００は、リモコン２０と、リモコン２０から送信された信号を受信するとともに、受信した信号を制御部９０に入力する受信部９５をさらに有している。このため、照明装置２００の調光／調色を遠隔操作することができる。
【００５１】
フットスイッチ装置１００は、第１光源１４１および第２光源１４２にそれぞれ直流を供給する２回路の出力コード５２を有している。このため、照明装置２００への接続が容易となる。また、照明装置２００は直流が入力される直流機器となるため、ＰＳＥ自主検査を行う必要がなく、安全性も向上する。
【００５２】
［変形例］
本考案に係るフットスイッチ装置は、上記説明した本実施形態に限定されない。本実施形態で説明したリモコン２０は、調光／調色の機能のみを有しているが、点灯／消灯の機能を有するようにしてもよい。例えば、第１光源１４１および第２光源１４２の調光率をそれぞれ０パーセントとして照明装置を消灯させるようにしてもよい。
【００５３】
第１光源１４１および第２光源１４２の色温度は一例であり、第１光源１４１および第２光源１４２の色温度が異なるものであればよい。また、色温度の種類は２種類に限定されず、３種類以上とし、３種類以上の色温度を有する光源の調光／調色を行うようにしてもよい。
フットスイッチ本体１０の形状や、フットスイッチ本体１０の内部における点灯制御部６０のレイアウトについては限定されるものではない。
【００５４】
以上、本考案の実施形態を説明したが、上述した実施形態は本考案を実施するための例示に過ぎない。よって、本考案は上述した実施形態に限定されることなく、その趣旨を逸脱しない範囲内で上述した実施形態を適宜変形して実施することが可能である。
【符号の説明】
【００５５】
１００  フットスイッチ装置
１０    フットスイッチ本体
３０    ケーシング
４０    操作部
６０    点灯制御部
７０    スイッチ
８１    第１点灯回路
８２    第２点灯回路
９０    制御部
１４０  光源
１４１  第１光源
１４２  第２光源
２００  照明装置
【図１】
0003230405.tif 000003
【図２】
0003230405.tif 000004
【図３】
0003230405.tif 000005
【図４】
0003230405.tif 000006
【図５】
0003230405.tif 000007